(57)【特許請求の範囲】
【請求項１】
建物の外壁を貫通して室内と室外に連通するダクトの室外側に取り付けられる外壁端末換気口であって、
前記ダクトの室外側に取り付けられるベース部と、
前記ベース部の室外側を覆い、底面側に開口を形成したフード部とを備え、
前記ベース部は、前記ダクトに嵌挿される筒部と、
前記筒部の室外側端部から外周に張り出すフランジを有し、
前記筒部の外径は、前記ダクトの内径よりも小さく、
前記フランジの外周側には、前記外壁側に突出するフランジ外周壁を設け、
前記筒部には、開口の一部を遮蔽する堤部を室内側の底部に設けるとともに、前記堤部と前記室外側端部との間の底部に水抜孔を設け、
前記水抜孔の周方向両側に、前記堤部から前記水抜孔に向けて幅が徐々に狭くなるよう水集合手段を設けた外壁端末換気口。
【請求項２】
前記フランジの下端部の前記フランジと前記フランジ外周壁の境界角部に第二水抜孔を設ける構成とした請求項１記載の外壁端末換気口。
【請求項３】
前記フランジ外周壁の先端には、前記外壁との接触部を有し、前記接触部から前記外壁から離れるように室外側下方に傾斜する水切板を設ける構成とした請求項２記載の外壁端末換気口。
【請求項４】
前記水集合手段は、前記筒部内部に突出したリブである請求項１記載の外壁端末換気口。
【請求項５】
前記水集合手段は、前記筒部から窪んだ溝である請求項４記載の外壁端末換気口。
【発明の詳細な説明】
【技術分野】
【０００１】
本発明は室内に設けた換気装置と連通するダクトの端部に接続される形状で外壁に設けられる外壁端末換気口に関する。
【背景技術】
【０００２】
従来、この種の外壁端末換気口の一例として屋外フードが知られている（例えば、特許文献１参照）。
【０００３】
以下、従来の屋外フードについて図７を参照しながら説明する。
【０００４】
図７に示すように、従来の屋外フード１２０は、外壁１０１を貫通したダクト１０４の屋外側に設けられる。ダクト１０４は、外壁１０１を貫通して室内１０２と室外１０３を連通し、室内の空気を排出する、あるいは、室外の空気を取り入れる風路となる。
【０００５】
屋外フード１２０は、ベース部１０６とフード部１０８を有している。ベース部１０６は、ダクト１０４内に嵌挿される筒部１０５を有している。ベース部１０６の室外１０３側には、フード部１０８と水切板１１０が備えられている。フード部１０８は、下方に開口部１０７を形成し、さらに、ベース部１０６の下方に水切板１１０とを備えている。水切板１１０は、フード部１０８の横幅より広い形状で、下方に行くに従って外壁面１０９から遠ざかる方向に傾斜している。そして、水切板１１０の上面１１１とフード部１０８の側面下端部１１２が近接するように構成している。
【先行技術文献】
【特許文献】
【０００６】
【特許文献１】特開２００７−２２５１６４号公報
【発明の概要】
【発明が解決しようとする課題】
【０００７】
このような従来の外壁端末換気口（屋外フード）では、屋外で強い風を伴った雨が降った場合、フード部１０８の開口部１０７から雨が浸入し筒部１０５まで到達する。浸入した雨水は、徐々に筒部１０５の底部１１３に溜まる。筒部１０５は、平坦な円筒で構成されているため、溜まった雨水は、外風に煽られながら室内１０２側へ移動してダクト１０４内に滴下し、ダクト１０４を通じて移動し室内１０２に流出することがあった。
【０００８】
また、筒部１０５を嵌挿するダクト１０４を室外１０３側へ向けて下り勾配を設けて配管することで室内１０２への雨水浸入軽減を図ることも行われている。しかし、ダクト１０４の配管、屋外フードや室内側機器（図示せず）の嵌挿や固定作業がし難く、施工性に支障を生じてしまうという課題があった。
【０００９】
本発明は、このような従来の課題を解決するものであり、室内への雨水浸入を抑制することができる外壁端末換気口を得ることを目的とする。
【課題を解決するための手段】
【００１０】
本発明の外壁端末換気口は、上記目的を達成するために、建物の外壁を貫通して室内と室外に連通するダクトの室外側に取り付けられる外壁端末換気口であって、
前記ダクトの室外側に取り付けられるベース部と、前記ベース部の室外側を覆い、底面側に開口を形成したフード部とを備え、前記ベース部は、前記ダクトに嵌挿される筒部と、前記筒部の室外側端部から外周に張り出すフランジを有し、前記筒部の外径は、前記ダクトの内径よりも小さく、前記フランジの外周側には、前記外壁側に突出するフランジ外周壁を設け、前記筒部には、開口の一部を遮蔽する堤部を室内側の底部に設けるとともに、前記堤部と前記室外側端部との間の底部に水抜孔を設け、前記水抜孔の周方向両側に、前記堤部から前記水抜孔に向けて幅が徐々に狭くなるよう水集合手段を設けたものであり、これにより所期の目的を達成するものである。
【発明の効果】
【００１１】
建物の外壁を貫通して室内と室外に連通するダクトの室外側に取り付けられる外壁端末換気口であって、前記ダクトの室外側に取り付けられるベース部と、前記ベース部の室外側を覆い、底面側に開口を形成したフード部とを備え、前記ベース部は、前記ダクトに嵌挿される筒部と、前記筒部の室外側端部から外周に張り出すフランジを有し、前記筒部の外径は、前記ダクトの内径よりも小さく、前記フランジの外周側には、前記外壁側に突出するフランジ外周壁を設け、前記筒部には、開口の一部を遮蔽する堤部を室内側の底部に設けるとともに、前記堤部と前記室外側端部との間の底部に水抜孔を設け、前記水抜孔の周方向両側に、前記堤部から前記水抜孔に向けて幅が徐々に狭くなるよう水集合手段を設けたことにより、雨水の室内への浸入を抑制できる。すなわち、強い外風によって、雨水がダクト内、つまり、筒部に浸入する。筒部の室内側には、底部に堤部があるので、室内側に流出するのを抑えることができる。また、筒部の底部に設けた水抜孔によって、雨水はダクト側に滴下する。ダクト内の雨水は、筒部が壁になり浸入する外風の影響を受けずに室外側、すなわち、ベース部から屋外へ滴下するように流出するので室内への雨水浸入低減が出来る。
【図面の簡単な説明】
【００１２】
【図１】本発明の実施の形態１の外壁端末換気口の設置状態を示す縦断面図。
【図２】本発明の変形例１の外壁端末換気口の設置状態を示す縦断面図。
【図３】本発明の変形例２の外壁端末換気口の設置状態を示す縦断面図。
【図４】本発明の変形例３の外壁端末換気口の設置状態を示す縦断面図。
【図５】本発明の変形例４の筒部の横断面図。
【図６】本発明の変形例５の筒部の横断面図。
【図７】従来の屋外フードの設置状態を示す断面図。
【発明を実施するための形態】
【００１３】
本発明の請求項１記載の外壁端末換気口は、建物の外壁を貫通して室内と室外に連通するダクトの室外側に取り付けられ、前記ダクトの室外側に取り付けられるベース部と、前記ベース部の室外側を覆い、底面側に開口を形成したフード部とを備え、前記ベース部は、前記ダクトに嵌挿される筒部と、前記筒部の室外側端部から外周に張り出すフランジを有し、前記筒部の外径は、前記ダクトの内径よりも小さく、前記フランジの外周側には、前記外壁側に突出するフランジ外周壁を設け、前記筒部には、開口の一部を遮蔽する堤部を室内側の底部に設けるとともに、前記堤部と前記室外側端部との間の底部に水抜孔を設け、前記水抜孔の周方向両側に、前記堤部から前記水抜孔に向けて幅が徐々に狭くなるよう水集合手段を設けたという構成を有する。
【００１４】
これにより、雨水の室内への浸入を抑制できる。すなわち、強い外風によって、雨水がダクト内、つまり、筒部に浸入する。筒部の室内側には、底部に堤部があるので、室内側に流出するのを抑えることができる。また、筒部の底部に設けた水抜孔によって、雨水はダクト側に滴下する。ダクト内の雨水は、筒部が壁になり浸入する外風の影響を受けずに室外側、すなわち、ベース部から屋外へ滴下するように流出するので室内への雨水浸入低減が出来る。
【００１５】
また、前記フランジは、前記外壁との間に空間を設け、前記フランジの外周端近傍から前記外壁側に向けてフランジ外周壁を形成し、前記フランジの下端部の前記フランジと前
記フランジ外周壁の境界角部に第二水抜孔を設ける構成にしてもよい。
【００１６】
これにより、フランジが外壁との間に空間を有するように設けられ、フランジの下端部に第二水抜孔が設けられたので、雨水は外壁から遠ざけて滴下することになるので、外壁の雨垂れ汚れが低減出来る、という効果を奏する。
【００１７】
また、前記フランジ外周壁の先端には、前記外壁との接触部を有し、前記接触部から前記外壁から離れるように室外側下方に傾斜する水切板を設けたという構成にしてもよい。
【００１８】
これにより、フランジ下部の第二水抜孔から流出した雨水は、室外側に向けて下がる方向に傾斜する水切板に沿って流れる。そして、雨水は、水切板の最下端で外壁から離れた位置から滴下することになるので、外壁の雨垂れ汚れが更に低減出来る、という効果を奏する。
【００１９】
また、前記筒部に設けた前記水抜孔の周方向両側に、前記堤部から前記水抜孔に向けて幅が徐々に狭くなるよう水集合手段を設けた構成にしてもよい。
【００２０】
前記水集合手段は、前記筒部内部に突出したリブとしてもよい。また、前記水集合手段は、前記筒部から窪んだ溝としてもよい。
【００２２】
また、水集合手段を溝とすることによって、筒部内壁に凸部が形成されないので、通気抵抗への影響がなく、筒部内部にダンパー組等の追加部品を支障なく構成出来る、という効果を奏する。
【００２３】
以下、本発明の実施の形態について、図面を参照しながら説明する。
（実施の形態１）
図１に示されるとおり、本実施の形態による外壁端末換気口５０は、建物の外壁１を貫通して室内２と室外３に連通するダクト５の室外３側に取り付けられる。この外壁端末換気口５０は、ダクト５を介して室内２と室外３の空気を換気する際に、主として風雨やゴミなどの異物が室内２に容易に浸入しないよう設けられるものである。
【００２４】
そして、外壁端末換気口５０は、ダクト５の室外３側に取り付けられるベース部１７と、このベース部１７を覆うフード部２１とを備えている。ベース部１７は、室外３側からダクト５内に嵌挿される筒部９と、筒部９の室外３側端部に設けられるフランジ１６を有し、略中央の開口を通じて室内２側と室外３側とを連通している。また、フランジ１６は、外壁１との間に所定距離空間を設けて構成されている。フランジ１６の外周端には、他方の端部が外壁１に接するフランジ外周壁３１を設けている。このフランジ外周壁３１は、フランジ１６の外周端部ではなく、内周側に寄っていても良い。すなわち、フランジ外周壁３１は、フランジ１６と外壁１との間の空間を確保するために設けられるので、フランジ１６の外周端の近くにあればよい。フード部２１は、このベース部１７を覆い、室外３側下部に開口２０を形成している。
【００２５】
そして、筒部９の底部２４には、水抜孔２５が設けられている。そして、この水抜孔２５よりも室内２側には、筒部９の開口２６の一部を遮蔽する堤部２７が設けられている。
【００２６】
図１に示すように、ダクト５は、建物の外壁１を貫通して室内２と室外３に連通する外
壁開口４内に配管される。ダクト５は、ダクト外周６と外壁開口４との間に生じる隙間７に防水処理等でバックアップ材８など充填材を詰めて固定され、室内２まで配管されて室内側換気機器など（図示せず）と連通して接続される。一方、ダクト５の室外３側に取り付けられる筒部９は、筒部外周１０に設けられる複数の抜け止め金具１１等によってダクト内周１２に嵌挿固定される。
【００２７】
この筒部９の室外３側には、外周側に張り出した筒部フランジ１３が形成されている。そして、筒部フランジ１３に一体となるようにフランジ１６が設けられている。なお、筒部９とベース部１７を一体で構成し筒部フランジ１３が形成されない形態であっても支障を生じない。
【００２８】
ダクト５の室外側端部１８は、ベース部１７の外壁１側との間に防水コーキング１９を充填させて防水処理が実施される。この防水コーキング１９によって、外壁１内部やダクト５内への雨水浸入を防止する。また、防水コーキング１９は、下端の所定部分を除いて施される。下方の一部に防水コーキング１９を施さないことによって、浸入した雨水を室外３側に排出させることができる。
【００２９】
フード部２１は、ベース部１７の室外３側を覆い、ベース部１７に着脱可能、あるいは、ベース部１７と一体に備えられている。フード部２１の周囲には、下辺を除いた外壁１との接近、あるいは接する部分にコーキングポケット（図示せず）が形成される。このコーキングポケットに防水コーキング２３を充填させて防水処理が実施される。
【００３０】
なお、フード部２１の開口２０周辺に排気流を外壁１から離れる方向に整流させる機能を持たせたガラリ（図示せず）や、給気時に室外側の異物の侵入を阻止するネット（図示せず）を設ける構成としても良い。
【００３１】
この構成によって、通常の換気時には、室内２と室外３を連通するダクト５を介し、フード部２１の開口２０から室内２の汚染された空気が排気され、また、清浄な空気が室内２に給気される。すなわち、排気の場合は室内側換気機器（図示せず）からダクト５を介して筒部９を通してフード部２１の内壁２８で整流されて開口２０から排気される。給気の場合は室外３側の空気がフード部２１の開口２０から吸い込まれ、筒部９を介しダクト５を通して室内側換気機器（図示せず）から供給される。
【００３２】
雨天時には、外壁１とフード部２１またはベース部１７に設けたコーキングポケット（図示せず）への防水処理により外壁１との外周接合部２２を介して雨水が室内２側へ浸入することが防止される。
【００３３】
ここで、強い外風を伴ってフード部２１に設けられた開口２０から雨水が浸入した場合について説明する。筒部９の内壁２９まで浸入した雨水は、室内２側においては、堤部２７でのダクト５側へ流出が抑えられる。また、浸入した雨水は、筒部９の底部２４に設けた水抜孔２５からダクト５側に滴下する。ダクト５内では、雨水は、筒部９内を通過する外風の影響を受けず、室外３側へ流れていく。そして、雨水は、ダクト５の室外側端部１８の防水処理を実施しない下方の隙間３０を通じて流出する。さらに、雨水は、ベース部１７のフランジ外周壁３１と外壁１との接合面３２から徐々に線状から面状に変化して滴下するように導かれる。従って、滴下する雨水は、再び外風に煽られて雨水がフード部２１の開口２０から筒部９へ浸入しにくくなるので室内２への雨水浸入低減が出来る。
（変形例１）
実施の形態１と同じ構成には同じ符号を付し、その詳細な説明は省略する。
【００３４】
図２に示すように、本変形例の外壁端末換気口５０Ａは、筒部９Ａの底部２４Ａに設け
る水抜孔２５Ａを、ベース部１７から筒部９Ａへの立上部３３近傍に形成した、という構成である。
【００３５】
この構成によって、水抜孔２５Ａは、ベース部１７の開口と近接して構成される。そのため、水抜孔２５Ａがベース部１７とほぼ同一面上に形成されることになり、施工後でもフード部２１の開口２０から水抜孔２５Ａ周辺の目視確認が可能となる。従って、筒部９Ａの水抜孔２５Ａ周辺の目詰まり確認を含むメンテナンス性が向上出来る。また、水抜孔２５Ａが、より室外３側で設けられるので、筒部９Ａ内外を通じて外風影響を受ける程度が少なく、最短経路で室外３側に滴下するよう導かれる。従って、更に室内２への雨水浸入が低減出来る、という効果を奏することになる。
（変形例２）
実施の形態１、変形例１と同じ構成には同じ符号を付し、その詳細な説明は省略する。
【００３６】
図３に示すように、本変形例の外壁端末換気口５０Ｂは、ベース部１７Ａの下端から展開されるフランジ外周壁３１Ａの室外３側の角部３４に第二水抜孔３５を設けた、という構成である。
【００３７】
この構成によって、筒部９Ａの水抜孔２５Ａから排出された雨水は、次に、第二水抜孔３５を介し外壁１から遠ざけて滴下することになる。従って、雨水は外壁１を伝わらずに下方に滴下することになるので、外壁１の雨垂れ汚れが低減出来る、という効果を奏することになる。
【００３８】
なお、第二水抜孔３５は、フード部２１の開口２０の縁にあるので、第二水抜孔３５にかかる外風による圧力は筒部９Ａ内ほど高くはならない。従って、第二水抜孔３５からは雨水は浸入し難くなっている。
（変形例３）
実施の形態１、変形例１，２と同じ構成には同じ符号を付し、その詳細な説明は省略する。
【００３９】
図４に示すように、本変形例の外壁端末換気口５０Ｃは、ベース部１７Ｂのフランジ外周壁３１Ｂの外壁１との接合面３２Ａを経て、室外３側下方に傾斜する水切板３６を設けた、という構成である。
【００４０】
この構成によって、筒部９Ａの水抜孔２５Ａから排出された雨水が、さらに第二水抜孔３５Ａを介して水切板３６へと流れていく。水切板３６を流れる雨水は、その最下端まで外壁１から遠ざかるよう加速しながら移動する。そして、水切板３６から離れる際には、放物線を描きながら下方へ滴下することになる。
【００４１】
また、水切板３６は、左右方向の幅をフード部２１の幅より大きく構成することによって、フード部２１の左右近傍において下方へ外壁１を伝って流れ落ちる雨水も水切板３６で外壁１から遠ざかるよう誘導して滴下することになる。このように、外壁１の雨垂れ汚れが更に低減出来る、という効果を奏することになる。
（変形例４）
実施の形態１、変形例１〜３と同じ構成には同じ符号を付し、その詳細な説明は省略する。
【００４２】
図５は、筒部９Ｂの底部２４Ｂを上から見た平面外略図である。図５に示すように、筒部９Ｂの水抜孔２５Ｂの両側に、堤部２７Ａからベース部１７側に向けて幅が徐々に狭くなるように、水集合手段として一対のリブ３７を設けた、という構成である。
【００４３】
この構成によって、筒部９Ｂの底部２４Ｂに辿りついた雨水は、堤部２７Ａでダクト５側へ流出することを遮られる。そして、雨水は、室外３側に向けて徐々に幅が狭くなる左右のリブ３７に誘導されて水抜孔２５Ｂ方向に集積するよう導かれる、従って、水抜孔２５Ｂを介して外壁１とベース部１７との隙間３０へと誘導する雨水の排出性が向上するため、更に室内２への雨水浸入低減が出来る、という効果を奏することになる。
（変形例５）
実施の形態１、変形例１〜４と同じ構成には同じ符号を付し、その詳細な説明は省略する。
【００４４】
図６は、筒部９Ｃの底部２４Ｃを上から見た平面外略図である。図６に示すように、筒部９Ｃの水抜孔２５Ｃの両側に、堤部２７Ｂからベース部１７側に向けて幅が徐々に狭くなるように、水集合手段として一対の溝３８を設けた、という構成である。
【００４５】
この構成によって、筒部９Ｃの底部２４Ｃに辿りついた雨水は、堤部２７Ｂでダクト５側へ流出することを遮られる。そして、雨水は、室外３側に向けて徐々に幅が狭くなる左右の溝３８に誘導されて水抜孔２５Ｃ方向に集積するよう導かれる。従って、水抜孔２５Ｃを介して外壁１とベース部１７との隙間３０へと誘導する雨水の排出性が向上するため、更に室内２への雨水浸入低減が出来る。また、筒部９Ｃの内壁２９Ａに凸部が形成されないので、通気抵抗の増大を抑えることができる。さらに、筒部９Ｃ内部にダンパー（図示せず）等の追加部品を支障なく挿入固定させて商品の付加価値を向上出来る、という効果を奏することになる。
【産業上の利用可能性】
【００４６】
本発明に係る外壁端末換気口は、製品デザインへの制約や施工性などに支障をきたすことなく、室内への雨水浸入を低減が出来るという効果のある構成によって、換気装置、送風機、空気調和機、熱交換気扇等に組合わせて外壁等に取付けられるフード等としても有用である。
【符号の説明】
【００４７】
１    外壁
２    室内
３    室外
４    外壁開口
５    ダクト
６    ダクト外周
７    隙間
８    バックアップ材
９    筒部
９Ａ    筒部
９Ｂ    筒部
９Ｃ    筒部
１０    筒部外周
１１    抜け止め金具
１２    ダクト内周
１３    筒部フランジ
１６    フランジ
１７    ベース部
１７Ａ    ベース部
１７Ｂ    ベース部
１８    室外側端部
１９    防水コーキング
２０    開口
２１    フード部
２２    外周接合部
２３    防水コーキング
２４    底部
２４Ａ    底部
２４Ｂ  底部
２４Ｃ    底部
２５    水抜孔
２５Ａ    水抜孔
２５Ｂ    水抜孔
２５Ｃ    水抜孔
２６    開口
２７    堤部
２７Ａ    堤部
２７Ｂ    堤部
２８    内壁
２９    内壁
２９Ａ    内壁
３０    隙間
３１    フランジ外周壁
３１Ａ    フランジ外周壁
３１Ｂ    フランジ外周壁
３２    接合面
３２Ａ    接合面
３３    立上部
３４    角部
３４Ａ  角部
３５    第二水抜孔
３５Ａ    第二水抜孔
３６    水切板
３７    リブ
３８    溝
５０    外壁端末換気口
５０Ａ    外壁端末換気口
５０Ｂ    外壁端末換気口
５０Ｃ    外壁端末換気口
【図１】
0006775103.tif 000002
【図２】
0006775103.tif 000003
【図３】
0006775103.tif 000004
【図４】
0006775103.tif 000005
【図５】
0006775103.tif 000006
【図６】
0006775103.tif 000007
【図７】
0006775103.tif 000008